(57)【要約】【課題】発光ダイオードを光源として用いることにより、低消費電力、低輻射熱、長寿命、無水銀など、環境に悪影響を与えないという長所を有する集魚灯装置を提供する。【解決手段】集魚灯装置１００は、底板１４６に開口１４４が設けられた防水カバー１０２と、防水カバー１０２の底板１４６の内側面上に配置され、底板１４６の開口１４４を完全に覆って互いに対向した第１の表面および第２の表面を有し、開口１４４から第２の表面の一部を露出する金属板１０４と、金属板１０４の第２の表面に固設されたフックフレーム１１４とを有する金属フック１１６と、金属板１０４の第１の表面に固設された光源ブラケット１２２と、光源ブラケット１２２上に配置され、少なくとも１つの発光ダイオードを含む少なくとも１つの光源要素１３８と、防水カバー１０２上に固設され、少なくとも１つの光源要素１３８上を覆う上防水カバー１２４と、を備える。【選択図】図１
2009140886.tif 000002
【特許請求の範囲】
【請求項１】
底板に開口が設けられた防水カバーと、
前記防水カバーの前記底板の内側面上に配置され、前記底板の前記開口を完全に覆って互いに対向した第１の表面および第２の表面を有し、前記開口から前記第２の表面の一部を露出する金属板と、該金属板の前記第２の表面に固設されたフックフレームとを有する金属フックと、
前記金属板の前記第１の表面に固設された光源ブラケットと、
前記光源ブラケット上に配置され、少なくとも１つの発光ダイオードを含む少なくとも１つの光源要素と、
前記防水カバー上に固設され、前記少なくとも１つの光源要素上を覆う上防水カバーと、を備えることを特徴とする集魚灯装置。
【発明の詳細な説明】
【技術分野】
【０００１】
本発明は、ランプに関し、特に、集魚灯装置に関する。
【背景技術】
【０００２】
従来、漁船で使用される集魚灯のほとんどは、発光光源としてタングステンランプまたはハロゲンランプが用いられていた。しかし、この光源の発光波長は範囲が非常に広い上、発光波長帯域のほとんどは海水中での透過力が弱かった。さらには、光源が発する光線のほとんどが海中に入射されなかった。そのため、必要な集魚効果を得るために、出力の大きな集魚灯を使用しなければならなかった。
【０００３】
しかし、大パワーの集魚灯を使用した場合、温度が非常に高くなる上、エネルギーが浪費されてコストが高くなった。さらには、大パワーの集魚灯を使用した場合、強力な紫外線が漁師の皮膚や目に害を与え、健康被害をもたらすことがあった。また、このランプは、寿命が短い上に、そのほとんどに水銀が含まれているため、環境に悪影響を与えることがあった。
【０００４】
また、ランプを使用する時に大量の熱が発生する集魚灯の温度を下げるために、ランプのカバー上に複数の通風孔を配置し、複数のファンにより放熱効果を高めるものがあった。しかし、通風孔を配置した場合、外部から集魚灯の内部に水分が容易に浸入し、回路システムまたはランプが浸食され損壊することがあった。さらにはファンの振動により、光源が点滅し、余計なエネルギーを消耗することもあった。
【発明の開示】
【発明が解決しようとする課題】
【０００５】
本発明の第１の目的は、発光ダイオードを光源として用いることにより、低消費電力、低輻射熱、長寿命、無水銀など、環境に悪影響を与えないという長所を有する集魚灯装置を提供することにある。
本発明の第２の目的は、魚類の視覚に敏感な波長範囲だけを選択して用いるために、光出力波長の範囲が狭い発光ダイオードを光源として利用し、発光ダイオードの点滅、光強度を容易に制御し、漁場環境に対する発光ダイオード光源の波長または強度を適時修正することが可能な集魚灯装置を提供することにある。
本発明の第３の目的は、青色、緑色の発光ダイオードを利用することにより、それに含まれる紫外線の量を低減させ、漁師の皮膚および目に与える害を大幅に低減させることが可能な集魚灯装置を提供することにある。
本発明の第４の目的は、金属フック装置の多角度調整機能により、光源部材を時計回り／逆時計回りに回動させたり、前方や後方に回転させて傾けたり、前後に移動させたりすることにより、集魚灯装置の照光範囲を容易に調整することができる上、金属フック装置がさらに有するフック状フレームにより漁船上に直接装着させ、着脱が簡便に行えるようにし、集魚灯装置の放熱を行う集魚灯装置を提供することにある。
本発明の第５の目的は、船舶用の交流電源を光源として直接利用することができるため、非常に重い高電圧配電盤を使用しなくともよい上、電力消耗が従来の集魚灯よりもはるかに少ないため、消費する燃料を減らして漁業コストを低減させることが可能な集魚灯装置を提供することにある。
【課題を解決するための手段】
【０００６】
（１）底板に開口が設けられた防水カバーと、前記防水カバーの前記底板の内側面上に配置され、前記底板の前記開口を完全に覆って互いに対向した第１の表面および第２の表面を有し、前記開口から前記第２の表面の一部を露出する金属板と、該金属板の前記第２の表面に固設されたフックフレームとを有する金属フックと、前記金属板の前記第１の表面に固設された光源ブラケットと、前記光源ブラケット上に配置され、少なくとも１つの発光ダイオードを含む少なくとも１つの光源要素と、前記防水カバー上に固設され、前記少なくとも１つの光源要素上を覆う上防水カバーと、を備えることを特徴とする集魚灯装置を提供する。
【発明の効果】
【０００７】
本発明の集魚灯装置は、発光ダイオードを光源として用いることにより、低消費電力、低輻射熱、長寿命、無水銀など、環境に悪影響を与えないという長所を有する。
【発明を実施するための最良の形態】
【０００８】
以下、本発明の実施形態を図面に基づいて説明する。尚、これによって本発明が限定されるものではない。
【０００９】
図１を参照する。図１は、本発明の一実施形態による集魚灯装置を示す側面図である。図１に示すように、集魚灯装置１００は、防水カバー１０２、金属フック１１６、光源ブラケット１２２、少なくとも１つの光源要素１３８および上防水カバー１２４を含む。防水カバー１０２の底板１４６には、開口１４４が設けられている。そして、この開口１４４を介し、防水カバー１０２の底板１４６中に金属フック１１６が貫設されている。金属フック１１６は、金属板１０４およびフックフレーム１１４を含む。この金属板１０４は、互いに対向した２つの表面１１８，１２０を有し、フックフレーム１１４は、金属板１０４の表面１１８に固設されている。金属フック１１６は、集魚灯装置１００の正面から背面にかけて防水カバー１０２の底板１４６の開口１４４中に貫設されている。フックフレーム１１４は、防水カバー１０２の背面に配置され、金属板１０４は、防水カバー１０２中で底板１４６の内側面１４８上に配置され、底板１４６の開口１４４を完全に覆っている。図２に示すように、金属板１０４の表面１１８の一部は、底板１４６の開口１４４から露出されている。金属板１０４は、係合せ、締結、貼付けなどの方法により、防水カバー１０２の底板１４６上に固定されている。例えば、図２に示すように、金属板１０４は、複数のボルト１６２により防水カバー１０２の底板１４６上に締結されている。防水カバー１０２の表面には、防水性および耐食性を備えた少なくとも１層の塗料が塗布され、防水カバー１０２を保護している。
【００１０】
光源ブラケット１２２は、金属板１０４の表面１２０上に固設されている。光源ブラケット１２２は、中実のプレート構造、中空のプレート構造または断面がＵ字状であるプレート構造でもよい。例えば、図１に示すように、光源ブラケット１２２には、集魚灯装置１００のその他の部品を置くのに都合が良いように、中空のプレート構造である収納空間１４２が設けられている。集魚灯装置１００は、光源ブラケット１２２上に固設された１つまたは複数の光源要素１３８を利用している（例えば、図１および図３に示すように、３つの光源要素１３８を利用する）。図１および図３に示すように、本発明の一実施形態において、光源要素１３８は、皿ねじ１４０により光源ブラケット１２２上に締結されている。また、図５に示すように、光源要素１３８は、少なくとも１つの発光ダイオード１５２からなることが好ましい。そのため、各光源要素１３８は、発光ダイオードの光源板であることが好ましい。図１に示すように、光源ブラケット１２２およびフックフレーム１１４が金属材料からなるために、光源要素１３８の動作時に発生する熱を集魚灯装置１００の外部へ迅速に伝導させることができる。そのため、集魚灯装置１００の放熱を迅速に行い、光源要素１３８の使用寿命を延ばすことができる。したがって、本実施形態の集魚灯装置１００は、防水カバー１０２上に放熱を行うための放熱通風孔やファンをさらに配置する必要がない。そのため、放熱通風孔から外部の水分が防水カバー１０２中に浸入し、防水カバー１０２中の各素子が損壊することや、ファンを動作させるために必要なエネルギーが必要ない。さらには、ファンの動作により光源が振動して点滅することもない。
【００１１】
防水カバー１０２上に上防水カバー１２４が固設されると、上防水カバー１２４は、集魚灯装置１００の正面に位置し、全ての光源要素１３８上が覆われる。上防水カバー１２４、防水カバー１０２および金属板１０４から構成されるアーキテクチャ中には、光源要素１３８および光源ブラケット１２２を収納することが可能な収納空間が形成されている。上防水カバー１２４は、係合せ、締結などの方法により、防水カバー１０２に固定することができる。また、本実施形態の上防水カバー１２４には、防水カバー１０２に係止めて固定するための１つまたは複数の加圧リング１２６が設けられてもよい。
【００１２】
図４を参照する。本実施形態の集魚灯装置１００には、選択的に図４に示すような防水気密押縁１５８を配置してもよい。この防水気密押縁１５８は、防水カバー１０２の底板１４６の開口１４４の周囲に配置されている。この防水気密押縁１５８は、水分が底板１４６と金属板１０４との間の接合スリットから防水カバー１０２の内部に浸入することを有効に防ぐために、防水カバー１０２の底板１４６の内側面１４８と、金属板１０４の表面１１８との間に配置されている。これにより、防水カバー１０２内部の素子が外部の水分により損壊されることを防ぎ、集魚灯装置１００の使用寿命を延ばすことができる。同様に、集魚灯装置１００には、外部の水分が上防水カバー１２４と防水カバー１０２との間の接合スリットから防水カバー１０２の内部に浸入することを防ぐために、選択的に防水気密押縁（ｗａｔｅｒｐｒｏｏｆ  ａｉｒｔｉｇｈｔ  ｂａｔｔｅｎ）１６０を配置されてもよい。この防水気密押縁１６０は、防水カバー１０２の周縁部に周設され、防水カバー１０２と上防水カバー１２４との間に配置されている。本実施形態の加圧リング１２６と防水気密押縁１６０とを組み合わせ、上防水カバー１２４と防水カバー１０２とを緊密に接合させることにより、外部の水分が防水カバー１０２の内部に浸入することを有効に防ぐことができる。防水気密押縁１５８，１６０は、ゴムなどの柔軟性材料からなってもよい。
【００１３】
図５に示すように、光源要素１３８は、発光ダイオードの光源板でもよい。この光源要素１３８は、プリント回路基板１５０、複数の発光ダイオード１５２および電源接続端子１５４を含む。この光源要素１３８中において、発光ダイオード１５２は、プリント回路基板１５０上に配置され、プリント回路基板１５０上の所定の回路と電気的に接続されている。プリント回路基板１５０上には電源接続端子１５４を配置してもよい（例えば、プリント回路基板１５０の縁辺領域に配置する）。この電源接続端子１５４は、プリント回路基板１５０の回路を介し、すべての発光ダイオード１５２と電気的に接続されている。本実施形態のプリント回路基板１５０には、複数の係合孔１５６が穿設され、図１および図３に示すように、これらの係合孔１５６中には複数の皿ねじ１４０がそれぞれ螺設され、光源ブラケット１２２上にプリント回路基板１５０が締結されている。これらの発光ダイオード１５２には、魚類の視覚に敏感な波長を発することが可能な発光ダイオード素子を利用することが好ましい。この発光ダイオード１５２には、複数の白色発光ダイオードが含まれてもよい。また他の実施形態では、これら発光ダイオード１５２には、発光波長が４７０から５００ｎｍの間である複数の青緑色の発光ダイオードが含まれてもよい。さらに他の実施形態では、発光ダイオード１５２には、複数の白色発光ダイオードと、発光波長が４７０から５００ｎｍの間である複数の青緑色の発光ダイオードとが含まれていることが好ましい。またさらに他の実施形態では、これら発光ダイオード１５２には、複数の白色発光ダイオードと、発光波長が４４０から４７０ｎｍの間である複数の青色発光ダイオードと、発光波長が５００から５４０ｎｍの間である複数の緑色発光ダイオードとが含まれていることが好ましい。
【００１４】
本実施形態のフックフレーム１１４は、多角度調整機能を有することが好ましい。例えば、図６Ａおよび図６Ｂに示すように、フックフレーム１１４は、円環状回転軸１０６、Ｕ字状接続フレーム１３０、内伸縮管１０８、外伸縮管１１０およびフック１１２を含む。また、図１および図２に示すように、本実施形態のフックフレーム１１４の中には、金属板１０４の表面１１８に円環状回転軸１０６が固設されている。円環状回転軸１０６には、対応した２つの溝状孔１２８が穿設されている。Ｕ字状接続フレーム１３０の両端は、円環状回転軸１０６の対向した両側を挟み、円環状回転軸１０６の溝状孔１２８の外側のそれぞれ対応した箇所に配置されている。本実施形態のＵ字状接続フレーム１３０の両端は、円環状回転軸１０６の溝状孔１２８の外側に締結されているため、フックフレーム１１４は、２つの皿ねじ１６８およびそれらに対応した２つの蝶ナット１３２をさらに含んでもよい。各皿ねじ１６８は、頭部１６６を有し、円環状回転軸１０６の２つの溝状孔１２８の中と、Ｕ字状接続フレーム１３０の両端の中とにそれぞれ対応するように順次貫設され、図６Ｂに示すように、各皿ねじ１６８の頭部１６６を円環状回転軸１０６の内側に配置する。そして、対応した皿ねじ１６８を２つの蝶ナット１３２にねじ込み、皿ねじ１６８と対応した蝶ナット１３２とを螺合させることにより、皿ねじ１６８と蝶ナット１３２とを組合せ、円環状回転軸１０６とＵ字状接続フレーム１３０との間の相対位置を固定する。
【００１５】
皿ねじ１６８と蝶ナット１３２との組合せをゆるめた後、皿ねじ１６８が配置された溝状孔１２８に沿って皿ねじ１６８を移動させると、円環状回転軸１０６を時計回りまたは逆時計回りに回転させることが可能となる。これにより、集魚灯装置１００を時計回りか逆時計回りに回転させて照射方向を調整する。また、皿ねじ１６８と蝶ナット１３２との組合せをゆるめると、２つの皿ねじ１６８を支柱として用い、集魚灯装置１００を前方または後方に傾けて角度を調整することができる。
【００１６】
図６Ａおよび図６Ｂに示すように、内伸縮管１０８の一端は、Ｕ字状接続フレーム１３０の底面に固設され、外伸縮管１１０は、内伸縮管１０８に外嵌され、外伸縮管１１０と内伸縮管１０８とは相対的に摺動させることが可能である。フック１１２は、外伸縮管１１０と内伸縮管１０８とが組合わされた箇所の後方に配置され、外伸縮管１１０の一端に固設されている。本実施形態の集魚灯装置１００は、外伸縮管１１０と内伸縮管１０８との間の相対位置を締結方式により固定するために、伸縮管を固定することが可能な蝶ボルト１３４をさらに含んでもよい。外伸縮管１１０と内伸縮管１０８との相対位置を調整する時は、蝶ボルト１３４をゆるめて外伸縮管１１０と内伸縮管１０８とを相対的に摺動させ、フック１１２とＵ字状接続フレーム１３０との間の距離を調整した後に蝶ボルト１３４を締め付け、内伸縮管１０８と外伸縮管１１０との間の相対位置を固定する。フック１１２は、係合せや締結などの方式により固定させてもよい。本実施形態のフック１１２は、船舷または船上のケーブルなど、漁船の所定位置に締結させて固定させることができる。そのため、集魚灯装置１００は、掛止固定された蝶ボルト１３６をさらに含む。フック１１２を漁船の所定位置上に配置してから蝶ボルト１３６を締め付けると、フック１１２の位置が固定され、集魚灯装置１００を漁船上の位置に固定させることができる。
【００１７】
本実施形態の集魚灯装置１００には、電源モジュール１７０がさらに配置されてもよい。図７に示すように、電源モジュール１７０は、電圧安定化電流制限回路（ｖｏｌｔａｇｅ−ｓｔａｂｉｌｉｚｉｎｇ  ａｎｄ  ｃｕｒｒｅｎｔ−ｌｉｍｉｔｉｎｇ  ｃｉｒｃｕｉｔ）１７２を少なくとも含む。この電圧安定化電流制限回路１７２は、光源ブラケット１２２の収納空間１４２中など、防水カバー１０２の中に配置されることが好ましい（図１を参照）。この電圧安定化電流制限回路１７２は、光源要素１３８の電源接続端子１５４と電気的に接続されているため、電圧安定化電流制限回路１７２は、電源接続端子１５４およびプリント回路基板１５０を介し、発光ダイオード１５２と電気的に接続されている。図２から図７に示すように、本発明の一実施形態において、電源モジュール１７０は、防水電源コネクター１６４、交流／直流変換器１７４および交流電源１７６をさらに含んでもよい。交流電源１７６は、一般漁船に配備する船舶用の交流電源を用いることができるため、集魚灯装置１００は、高電圧配電盤を使用する必要がない。そのため、集魚灯装置１００を大幅に軽量化させることができる。図２および図７に示すように、防水電源コネクター１６４は、防水カバー１０２の側壁中に貫設されている。この防水電源コネクター１６４は、一方の端部が電圧安定化電流制限回路１７２と電気的に接続され、他方の端部が交流／直流変換器１７４の一方の端部と電気的に接続されている。交流／直流変換器１７４の他方の端部は、交流電源１７６と電気的に接続されている。交流電源１７６から入力された交流電気は、交流／直流変換器１７４および電圧安定化電流制限回路１７２を通って電源接続端子１５４に安定した電源を供給し、光源要素１３８に安定した直流動作電流を提供する。さらに他の実施形態において、電源モジュール１７０は、光源要素１３８の光出力強度および／または光源要素１３８の点滅順序を制御する制御回路を選択的に含んでもよい。
【００１８】
上述の実施形態から分かるように、本発明の集魚灯装置は以下の長所を有する。
【００１９】
（１）本発明の集魚灯装置は、発光ダイオードを光源として用いることにより、低消費電力、低輻射熱、長寿命、無水銀など、環境に悪影響を与えないという長所を有する。
【００２０】
（２）本発明の集魚灯装置は、魚類の視覚に敏感な波長範囲だけを選択して用いるために、光出力波長の範囲が狭い発光ダイオードを光源として利用し、発光ダイオードの点滅、光強度を容易に制御し、漁場環境に対する発光ダイオード光源の波長または強度を適時修正することができる。
【００２１】
（３）本発明の集魚灯装置は、利用する発光ダイオード光源が紫外線を発しないため、漁師の皮膚および目に与える害を大幅に低減させることができる。
【００２２】
（４）本発明の集魚灯装置は、金属フック装置の多角度調整機能により、光源部材を時計回り／逆時計回りに回動させたり、前方や後方に回転させて傾けたり、前後に移動させたりすることにより、集魚灯装置の照光範囲を容易に調整することができる上、金属フック装置がさらに有するフック状フレームにより漁船上に直接装着させ、着脱が簡便に行えるようにし、集魚灯装置の放熱を行うことができる。
【００２３】
（５）本発明の集魚灯装置は、船舶用の交流電源を光源として直接利用することができるため、非常に重い高電圧配電盤を使用する必要がない上、電力消耗が従来の集魚灯よりもはるかに少ないため、消費する燃料を減らして漁業コストを低減させることができる。
【００２４】
本発明では好適な実施形態を前述の通り開示したが、これらは決して本発明を限定するものではなく、当該技術を熟知するものなら誰でも、本発明の主旨と領域を脱しない範囲内で各種の変更や修正を加えることができる。従って本発明の保護の範囲は、特許請求の範囲で指定した内容を基準とする。
【図面の簡単な説明】
【００２５】
【図１】本発明の一実施形態による集魚灯装置を示す側面図である。
【図２】本発明の一実施形態による集魚灯装置を示す後面図である。
【図３】本発明の一実施形態による集魚灯装置を示す前面図である。
【図４】本発明の一実施形態による集魚灯装置を示す部分拡大図である。
【図５】本発明の一実施形態による集魚灯装置の光源要素を示す前面図である。
【図６Ａ】本発明の一実施形態による集魚灯装置のフックフレームを横から見た時の状態を示す部分拡大図である。
【図６Ｂ】本発明の一実施形態による集魚灯装置のフックフレームを後ろから見た時の状態を示す部分拡大図である。
【図７】本発明の一実施形態による集魚灯装置の電源モジュールを示すブロック図である。
【符号の説明】
【００２６】
１００  集魚灯装置
１０２  防水カバー
１０４  金属板
１０６  円環状回転軸
１０８  内伸縮管
１１０  外伸縮管
１１２  フック
１１４  フックフレーム
１１６  金属フック
１１８  表面
１２０  表面
１２２  光源ブラケット
１２４  上防水カバー
１２６  加圧リング
１２８  溝状孔
１３０  Ｕ字状接続フレーム
１３２  蝶ナット
１３４  蝶ボルト
１３６  蝶ボルト
１３８  光源要素
１４０  皿ねじ
１４２  収納空間
１４４  開口
１４６  底板
１４８  内側面
１５０  プリント回路基板
１５２  発光ダイオード
１５４  電源接続端子
１５６  係合孔
１５８  防水気密押縁
１６０  防水気密押縁
１６２  ボルト
１６４  防水電源コネクター
１６６  頭部
１６８  皿ねじ
１７０  電源モジュール
１７２  電圧安定化電流制限回路
１７４  交流／直流変換器
１７６  交流電源
【図１】
2009140886.tif 000003
【図２】
2009140886.tif 000004
【図３】
2009140886.tif 000005
【図４】
2009140886.tif 000006
【図５】
2009140886.tif 000007
【図６Ａ】
2009140886.tif 000008
【図６Ｂ】
2009140886.tif 000009
【図７】
2009140886.tif 000010